(57)【要約】      （修正有）【課題】気密性が高く、コンパクトで、安全低コストであり、照明範囲を向上させたＬＥＤ電球を提供する。【解決手段】中空プラスチックシェル１０と、発光装置２０と、プラスチック透過カバー３０とを含む。シェルの上端縁に第一結合部１１を設け、底部に口金１２を結合する。発光装置がシェル内に設けられ、口金に電気的に接続された少なくとも一つの回路板２１と、回路板上に設けられるとともに回路板に電気的に接続された少なくとも一つの発光ダイオード２２とを備える。透過カバーの下端縁にシェルの第一結合部と互いに対応し且つ超音波技術で溶接し、密着させて第二結合部３１を設ける。【選択図】図２
0003165167.tif 000002
【実用新案登録請求の範囲】
【請求項１】
上端縁に第一結合部が設けられ、底部に口金が結合された中空プラスチックシェルと、
前記シェル内に設けられ、前記口金に電気的に接続された少なくとも一つの回路板と、前記回路板上に設けられるとともに前記回路板に電気的に接続された少なくとも一つの発光ダイオードとを備える発光装置と、
下端縁に前記シェルの第一結合部と互いに対応し且つ超音波技術で溶接して密着された第二結合部が設けられたプラスチック透過カバーと、を含むＬＥＤ電球改良構造。
【請求項２】
前記シェルの底部に、口金と互いに対応して結合するためのネック部（パイプ）が延在して形成されていることを特徴とする請求項１に記載のＬＥＤ電球改良構造。
【請求項３】
前記ネック部に雄ねじが設けられ、前記口金にメスねじが設けられることで、前記ネック部と前記口金とが互いに螺着されていることを特徴とする請求項２に記載のＬＥＤ電球改良構造。
【請求項４】
前記ネック部と前記口金との間に少なくとも一つのＯリングが介在されていることを特徴とする請求項３に記載のＬＥＤ電球改良構造。
【請求項５】
前記回路板に電源供給回路が配置されていることを特徴とする請求項１に記載のＬＥＤ電球改良構造。
【請求項６】
前記回路板に複数の発光ダイオードが設けられ、各発光ダイオードが複数本のピンを有するとともにカバーが結合されていることを特徴とする請求項１に記載のＬＥＤ電球改良構造。
【請求項７】
前記カバーが砲弾形状になることを特徴とする請求項６に記載のＬＥＤ電球改良構造。
【請求項８】
前記発光ダイオードは、放射状に配列されていることを特徴とする請求項６に記載のＬＥＤ電球改良構造。
【考案の詳細な説明】
【技術分野】
【０００１】
本考案は、ＬＥＤ電球改良構造に係り、特に、超音波技術により溶接されるＬＥＤ電球改良構造に関る。
【背景技術】
【０００２】
発光ダイオード（Light Emitting Diode；以下、単にＬＥＤと称する）は、体積が小さく、反応速度が速く、電気消費量が低く、使用寿命が長いなどの利点を有するので、現在人々が使用している電子製品乃至民生消費製品に幅広く応用され、特に、電球器具に最も応用されている。一般に、電球器具は、ソケット板と少なくとも一つの電球ソケットと少なくとも一つの電球とで構成され、現在の環境政策に合わせて省エネルギー・ＣＯ2の排出削減に務めるため、伝統的なフィラメント電球の代りにＬＥＤ電球を使用している。従来のＬＥＤ電球は、ガラス材質で製造され、内部のＬＥＤによる熱を導出するため、電球ベース部の口金に放熱部材がさらに結合される。従来のＬＥＤ電球は以下の欠点を備える。
１．電球は、ガラス材質で製造されるため、破れ易く危険をもたらす他、全体の重さが重くなる。
２．電球とベース部の口金とが接着剤で接着されるため、気密性が低く、室外または特殊な作業場合に使用されるときに、湿気や腐食性ガス（例えば、アンモニアガス、硫化水素など）が侵入して偶発的な感電を生じ、或いは内部回路や素子が損壊、失効になり易いなどの問題がある。
３．ＬＥＤの指向性が高いので、幅広い照明範囲の場合に適用し難くなる。
【０００３】
本考案の考案者はこれらの点に鑑み、専念に研究や設計、組み立てをし、気密性が高く、安全且つ照明範囲が向上されるＬＥＤ電球改良構造を提供するものである。
【考案の概要】
【考案が解決しようとする課題】
【０００４】
本考案は、主に、中空プラスチックシェルとプラスチック透過カバーとを超音波で溶接し密着させることにより、気密性が高く、コンパクト、安全且つコストが低下される効果を備え、本考案の実用性及び利便性を向上させるＬＥＤ電球改良構造を提供することを目的とする。
【０００５】
本考案は、少なくとも一つの回路板と、放射状に並ばれた少なくとも一つの発光ダイオード２２Ａ、２２Ｂ、２２Ｃとを含む発光装置により、照明範囲が向上される効果を備え、本考案の実用性及び進歩性を向上させるＬＥＤ電球改良構造を提供することを次の目的とする。
【課題を解決するための手段】
【０００６】
前記目的を達成するため、本考案のＬＥＤ電球改良構造は、上端縁に第一結合部が設けられ、底部に口金が結合された中空プラスチックシェルと、前記シェル内に設けられ、前記口金に電気的に接続された少なくとも一つの回路板と、前記回路板上に設けられるとともに前記回路板に電気的に接続された少なくとも一つの発光ダイオードとを備える発光装置と、下端縁に前記シェルの第一結合部と互いに対応し且つ超音波技術で溶接して密着された第二結合部が設けられたプラスチック透過カバーと、を含む。よって、重さが軽く、耐衝撃、電気絶縁、且つ完全に気密になることで、防塵や、防水及びガス侵入防止の効果に達し、さらに、輝度の高い照明効果及び照明範囲を備える。
【０００７】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【０００８】
【図１】本考案の第１実施例を示す側面図である。
【図２】本考案の第１実施例を示す側面断面図である。
【図３】第１実施例に係る透過カバーとシェルとを示す分解斜視図である。
【図４】図２のカバーとシェルとを超音波技術で溶接して密着された様子を示す図である。
【図５】第２実施例の使用状態を示す図である。
【図６】第２実施例の使用状態を示す図である。
【図７】第２実施例の使用状態を示す図である。
【考案を実施するための形態】
【０００９】
＜第１実施例＞
図１〜図４に示すように、本考案のＬＥＤ電球改良構造は、中空プラスチックシェル１０と、発光装置２０と、プラスチック透過カバー３０とを含む。
【００１０】
シェル１０の上端縁に第一結合部１１（凹部又は凸部）が設けられ、シェル１０の底部に口金１２が結合されている。
【００１１】
シェル１０内に発光装置２０が設けられ、発光装置２０は少なくとも一つの回路板２１と少なくとも一つの発光ダイオード２２とを備え、発光ダイオード２２が回路板２１上に設けられるとともに回路板２１に電気的に接続され、回路板２１が口金１２に電気的に接続されている。さらに、これらの発光ダイオード２２に所要の電力を付与するため、回路板２１に電源供給回路２３（ＡＣ電流をＤＣ電流に切り替えるため）が配置されている。
【００１２】
透過カバー３０の下端縁に、シェル１０の第一結合部１１と互いに対応し且つ超音波技術で溶接して密着された第二結合部３１（凸部又は凹部）が設けられる（第一結合部１１の半径が第二結合部３１よりやや大きく又はやや小さくすることにより、嵌め合い作業となる）。よって、シェル１０と透過カバー３０とが一体に結合されるとともに、両方の間に完全に気密になり、従来のガラス材質の電球よりも、当該中空プラスチックシェル１０とプラスチック透過カバー３０との方が、コンパクト、安全且つコストが低下される効果を備える。
【００１３】
上記の説明では、シェル１０の底部に、口金１２と互いに対応して結合するためのネック部（パイプ）１３が延在して形成されている。さらに、ネック部１３に雄ねじ１４が設けられ、口金１２にメスねじ１５が設けられることで、ネック部１３と口金１２とが互いに螺着されている。また、ネック部１３と口金１２との間に少なくとも一つのＯリング１６が介在されることにより、全体が気密な効果に達し、さらに中空プラスチックシェル１０と透過カバー３０とが超音波技術で溶接して密着されたことを加え、気密性の高い効果を備える。
【００１４】
本考案の実施例では、回路板２１は、第一回路板２１Ａと第二回路板２１Ｂとを含み、第一回路板２１Ａが発光ダイオード２２に電気的に接続され、第一回路板２１Ａに発光ダイオード２２が設けられ、第二回路板２１Ｂには、他の電子部品、例えば、キャパシティ、抵抗、IC素子、トランジスタなどが設けられ、回路板２１にも電源供給回路２３（或いは、電源供給回路２３を有する電源供給器）が配置されている。
【００１５】
＜第２実施例＞
図５〜図７に示すように、回路板２１に複数の発光ダイオード２２が設けられている。これらの発光ダイオード２２が回路板２１に並べた様子は、第１実施例に示したようにリング状に配列されることの他に、本実施例のように、放射状に配列されても良い。よって、照明範囲が増幅される効果を得られる。各発光ダイオード２２は、複数本のピン２２１（長さがばらつき設置しても良い）を有するとともにカバー２２２が結合される。カバー２２２は、エポキシ樹脂で封止してなるレンズ構造であり、当該カバー２２２の形状を変更することで発光ダイオード２２の発光角度（または照射角度）を変えることができる。また、発光ダイオード２２が所定の方向に光を投射し、或いは、所定の光強度（Luminous intensity）、照度（Illuminance）、輝度（Luminance）などの照明効果となるため、カバー２２２を砲弾形状に形成する。これらの発光ダイオード２２が異なるサイズのカバー２２２を有するように、第一発光ダイオード２２Ａ、第二発光ダイオード２２Ｂ及び第三発光ダイオード２２Ｃを内から外へ（内から外へまたは交互に設けても良い）設置する。第一発光ダイオード２２Ａのカバー２２２は短く、第二発光ダイオード２２Ｂのカバー２２２は細長く、第三発光ダイオード２２Ｃのカバー２２２は上が狭く下が広く形成して、光を調整可能で、且つ照明範囲が向上する効果を備える。本考案のカバー２２２は、既述した長、短、或いは太い形状、痩せた形状に限られていない。
【００１６】
以上の記載は単に本考案の好ましい実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００１７】
１０・・・・・・シェル
１１・・・・・・第一結合部
１２・・・・・・口金
１３・・・・・・ネック部
１４・・・・・・雄ねじ
１５・・・・・・メスねじ
１６・・・・・・Ｏリング
２０・・・・・・発光装置
２１・・・・・・回路板
２１Ａ・・・・・第一回路板
２１Ｂ・・・・・第二回路板
２２・・・・・・発光ダイオード
２２Ａ・・・・・第一発光ダイオード
２２Ｂ・・・・・第二発光ダイオード
２２Ｃ・・・・・第三発光ダイオード
２３・・・・・・電源供給回路
３０・・・・・・透過カバー
３１・・・・・・第二結合部
２２１・・・・・ピン
２２２・・・・・カバー
【図１】
0003165167.tif 000003
【図２】
0003165167.tif 000004
【図３】
0003165167.tif 000005
【図４】
0003165167.tif 000006
【図５】
0003165167.tif 000007
【図６】
0003165167.tif 000008
【図７】
0003165167.tif 000009